Podtech/llm-jp-corpus-v4-ja_patent huggingface dataset:
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
配列番号１１３（FVIDSFEEL）に示されるアミノ酸配列を含んでなるペプチド、およびその薬学的に許容可能な塩であって；前記ペプチドが、９〜３０のアミノ酸の全長を有する、ペプチド。
【請求項２】
ＭＨＣクラスＩ分子に結合する能力を有し、前記ＭＨＣに結合すると、ＣＤ８Ｔ細胞によって認識されることができる、請求項１に記載のペプチド。
【請求項３】
前記ペプチドが、配列番号１１３に示されるアミノ酸配列からなる、請求項１または２に記載のペプチド。
【請求項４】
前記ペプチドが、非ペプチド結合を含む、請求項１〜３のいずれか一項に記載のペプチド。
【請求項５】
前記ペプチドが、ＨＬＡ−ＤＲ抗原関連不変鎖（ｐ３３）の８０Ｎ末端アミノ酸を含んでなる融合タンパク質の一部である、請求項１〜４のいずれか一項に記載のペプチド。
【請求項６】
ＨＬＡリガンドと反応性である、可溶性または膜結合Ｔ細胞受容体であるＴ細胞受容体であって、前記リガンドが配列番号１１３に示されるアミノ酸配列からなるＴ細胞受容体（ＴＣＲ）。
【請求項７】
ＭＨＣ分子と結合する、請求項１〜５のいずれか一項に記載のペプチドを特異的に認識する、可溶性または膜結合抗体である、抗体。
【請求項８】
請求項１〜５のいずれか一項に記載のペプチド、請求項６に記載のＴＣＲ、請求項７に記載の抗体をエンコードする核酸であって、異種プロモーター配列と結合する、または、請求項１〜５のいずれか一項に記載のペプチド、請求項６に記載のＴＣＲ、請求項７に記載の抗体をエンコードする核酸であって、異種プロモーター配列と結合しない核酸または前記核酸を発現する発現ベクター。
【請求項９】
請求項１〜５のいずれか一項に記載のペプチド、請求項８に記載の核酸または発現ベクターを含んでなる、組換え宿主細胞。
【請求項１０】
前記宿主細胞が樹状細胞によって代表される抗原提示細胞である、請求項９に記載の組換え宿主細胞。
【請求項１１】
請求項１〜５のいずれか一項に記載のペプチド、請求項６に記載のＴＣＲ、請求項７に記載の抗体を製造する方法であって、請求項１〜５のいずれか一項に記載のペプチドを提示する、または請求項８に記載の核酸または発現ベクターを発現する、請求項９または１０に記載の宿主細胞を培養するステップと、前記ペプチド、前記ＴＣＲ、または前記抗体を前記宿主細胞またはその培養液から単離するステップとを含んでなる、方法。
【請求項１２】
Ｔ細胞を、適切な抗原提示細胞の表面に、または抗原提示細胞を模倣する人工コンストラクトの表面に発現される抗原負荷ヒトクラスＩＭＨＣ分子に、前記Ｔ細胞を抗原特異的様式で活性化するのに十分な時間にわたり、生体外で接触させるステップを含んでなり、前記抗原が、請求項１〜３のいずれか一項に記載のペプチドである、活性化Ｔリンパ球を製造するインビトロ法。
【請求項１３】
請求項１〜３のいずれか一項に記載のペプチドを含んでなるポリペプチドを提示する細胞を選択的に認識する、請求項１２に記載の方法によって製造される活性化Ｔリンパ球。
【請求項１４】
請求項１〜５のいずれか一項に記載のペプチド、請求項６に記載のＴＣＲ、請求項７に記載の抗体、請求項８に記載の核酸または発現ベクター、請求項９または１０に記載の発現ベクターを含んでなる宿主細胞、請求項１３に記載の活性化Ｔリンパ球、からなる群に選択される、少なくとも１つの活性成分と、薬学的に許容可能な担体を含んでなる医薬組成物。
【請求項１５】
がんの診断および／または治療に使用するための薬剤であって、請求項１〜５のいずれか一項に記載のペプチド、請求項６に記載のＴＣＲ、請求項７に記載の抗体、請求項８に記載の核酸または発現ベクター、請求項９または１０に記載の発現ベクターを含んでなる宿主細胞、請求項１３に記載の活性化Ｔリンパ球または請求項１４に記載の医薬組成物を含む、薬剤。
【請求項１６】
がんが、ペプチド配列番号１１３に由来するタンパク質の過剰発現を示す、ＮＨＬ、非小細胞肺がん、小細胞肺がん、腎細胞、脳がん、胃がん、結腸直腸がん、肝細胞がん、膵臓がん、白血病、乳がん、黒色腫、卵巣がん、膀胱がん、子宮がん、胆嚢および胆管がんから選択される、請求項１５に記載の薬剤。
【請求項１７】
（ａ）請求項１４に記載の医薬組成物を溶液または凍結乾燥形態で含んでなる容器；と、以下（ｂ）〜（ｄ）から選択される１つ以上の要素を含んでなる、または、以下（ｂ）〜（ｄ）を含まないキット。
（ｂ）凍結乾燥製剤のための希釈剤または再構成溶液を含有する第２の容器；
（ｃ）配列番号１〜１１２、配列番号１１４〜３２８からなる群から選択されるアミノ酸配列からなる少なくとももう１つのペプチド、および
（ｄ）（ｉ）溶液の使用、または（ｉｉ）凍結乾燥製剤の再構成および／または使用のための取扱説明書
【請求項１８】
（ｉｉｉ）緩衝液、（ｉｖ）希釈剤、（ｖ）フィルター、（ｖｉ）針、または（ｖ）シリンジの１つまたは複数をさらに含んでなる、請求項１７に記載のキット。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ｉ）抗原レセプター、及び
ｉｉ）ＰＤ−Ｌ１を結合する抗体
を発現する、ナチュラルキラーＴ（ＮＫＴ）細胞である改変免疫細胞。
【請求項２】
前記抗体が、ＣＤ８０及びＰＤ−１の両方とのＰＤ−Ｌ１相互作用を阻害する、請求項１に記載の改変免疫細胞。
【請求項３】
前記ＣＡＲが、１つ以上の共刺激ドメイン、例えばＣＤ２８，４−１ＢＢ（ＣＤ１３７）、ＩＣＯＳ、もしくはＯＸ４０（ＣＤ１３４）、又はそれらの機能的フラグメントそれぞれをさらに含む、請求項１に記載の改変免疫細胞。
【請求項４】
前記抗原レセプターが内因性ＴＣＲ又は改変ＴＣＲなどのＴＣＲである、請求項１〜３のいずれか一項に記載の改変免疫細胞。
【請求項５】
前記抗体が、Ｆｃドメインを含まない、例えばＦａｂ、Ｆａｂ’、ｓｃＦａｂ、ｓｃＦｖ、Ｆｖフラグメント、ナノボディ、ＶＨＨ、ｄＡｂ、最小認識ユニット、ダイアボディ、単鎖ダイアボディ（ｓｃＤｂ）、ＢｉＴＥ、又はＤＡＲＴからなる群から選択される抗体フラグメントである、請求項１〜４に記載の改変免疫細胞。
【請求項６】
前記抗体が、１００ｐＭ未満のＫＤでヒトＰＤ−Ｌ１に結合する、請求項１〜５のいずれか一項に記載の改変免疫細胞。
【請求項７】
前記抗体が、
ｉ）配列番号６、７、及び８それぞれ、又は配列番号６、７、及び８と少なくとも９０％同一性を有する配列に示される可変重鎖（ＶＨ）ＣＤＲ配列ＣＤＲ−Ｈ１、ＣＤＲ−Ｈ２、及びＣＤＲ−Ｈ３、
ｉｉ）配列番号３、４、及び５それぞれ、又は配列番号３、４、及び５と少なくとも９０％同一性を有する配列に示される可変軽鎖（ＶＬ）ＣＤＲ配列ＣＤＲ−Ｌ１、ＣＤＲ−Ｌ２、及びＣＤＲ−Ｌ３、
を含む、請求項１〜６のいずれか一項に記載の改変免疫細胞。
【請求項８】
前記抗体が、
ｉ）配列番号２のＶＨ配列、又は配列番号２と少なくとも９０％同一性を有する配列、及び
ｉｉ）配列番号１のＶＨ配列、又は配列番号１と少なくとも９０％同一性を有する配列
を含む、請求項１〜７のいずれか一項に記載の改変免疫細胞。
【請求項９】
前記抗体が、配列番号９又は配列番号９と少なくとも９０％同一性を有する配列を含む、請求項１〜８のいずれか一項に記載の改変免疫細胞。
【請求項１０】
前記細胞が、ＩＬ−２、ＩＬ−４、ＩＬ−７、ＩＬ−１２、ＩＬ−１５、ＩＬ−２１、及び／又はＭＩＰ−１アルファなどの１つ以上のサイトカイン、好ましくはヒトサイトカインをさらに発現し、及び／又は
トランスフォーミング増殖因子−ベータ（ＴＧＦ−β）、ＩＬ−１０、Ｆａｓ、ＣＤ４７、ＣＴＬＡ−４、Ｔｉｍ−３、ＬＡＧ−３、及びそれらのリガンドなどの免疫抑制分子を標的とする１つ以上の抗体をさらに発現する、
請求項１〜９のいずれか一項に記載の改変免疫細胞。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
それを必要とする対象における筋肉の損傷、筋肉の傷害、または筋萎縮の治療のためのPGE2異化を減衰させる化合物の治療的有効量を含む、組成物。
【請求項２】
前記化合物が、ヒドロキシプロスタグランジンデヒドロゲナーゼ（PGDH）阻害剤である、請求項1記載の組成物。
【請求項３】
前記化合物が、
15-ヒドロキシプロスタグランジンデヒドロゲナーゼ(15-PGDH)を不活性化もしくは妨害するか、またはプロスタグランジントランスポーター(PTGもしくはSLCO2A1)を不活性化もしくは妨害する、化合物、中和ペプチド、または中和抗体
である、請求項1記載の組成物。
【請求項４】
前記PGDH阻害剤が、15-ヒドロキシプロスタグランジンデヒドロゲナーゼ(15-PGDH)阻害剤である、請求項2記載の組成物。
【請求項５】
非経口投与、静脈内投与、皮下投与、腹腔内投与、筋肉内投与、動脈内投与、血管内投与、心臓内投与、くも膜下腔内投与、鼻腔内投与、皮内投与、硝子体内投与、経粘膜投与、経口投与、坐剤としての投与、および/または局所的投与を介して、それを必要とする対象に投与される、請求項1記載の組成物。
【請求項６】
経口投与を介してそれを必要とする対象に投与される、請求項1記載の組成物。
【請求項７】
短期的曝露、間欠的曝露、長期的治療計画、または連続的曝露によって、それを必要とする対象に投与される、請求項1記載の組成物。
【請求項８】
筋肉の損傷、筋肉の傷害、または筋萎縮が、急性の筋肉の傷害、断裂、または外傷、手の軟部組織傷害、デュシェンヌ型筋ジストロフィー(DMD)、ベッカー型筋ジストロフィー、肢帯型筋ジストロフィー、筋萎縮性側索硬化症(ALS)、遠位型筋ジストロフィー(DD)、遺伝性ミオパシー、筋緊張性筋ジストロフィー(MDD)、ミトコンドリアミオパシー、筋細管ミオパシー(MM)、重症筋無力症(MG)、鬱血性心不全、周期性四肢麻痺、多発性筋炎、横紋筋融解症、皮膚筋炎、癌性悪液質、AIDS悪液質、心臓悪液質、ストレス誘発性尿失禁、筋肉減弱症、および脊髄性筋萎縮症からなる群より選択される、請求項1記載の組成物。
【請求項９】
筋肉の損傷、筋肉の傷害、または筋萎縮が、骨格筋の損傷、骨格筋の傷害、または骨格筋萎縮である、請求項1記載の組成物。
【請求項１０】
筋肉の損傷、筋肉の傷害、または筋萎縮が、筋肉減弱症である、請求項1記載の組成物。
【請求項１１】
筋肉の損傷、筋肉の傷害、または筋萎縮が、デュシェンヌ型筋ジストロフィー(DMD)である、請求項1記載の組成物。
【請求項１２】
筋肉の損傷、筋肉の傷害、または筋萎縮が、脊髄性筋萎縮症である、請求項1記載の組成物。
【請求項１３】
前記化合物が、15-ヒドロキシプロスタグランジンデヒドロゲナーゼ(15-PGDH)阻害剤であり、筋肉の損傷、筋肉の傷害、または筋萎縮が、骨格筋の損傷、骨格筋の傷害、または骨格筋萎縮であり、かつ前記組成物が経口投与によって投与される、請求項1記載の組成物。
【請求項１４】
薬学的に許容される担体をさらに含む、請求項1記載の組成物。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
半結晶性ポリ乳酸ポリマーと、
少なくとも２５℃のＴｇを有するポリビニルアセテートポリマーと、
可塑剤と
を含み、構造化した表面を備える、フィルム。
【請求項２】
前記構造化した表面が、ベースフィルム層と、前記ベースフィルム層の主表面上に配置された構造体とを備え、前記ベースフィルム層は前記構造体と一体である、請求項１に記載のフィルム。
【請求項３】
前記構造化した表面が、複数の山構造、複数の谷構造、又はこれらの組み合わせを備える、請求項１又は２に記載のフィルム。
【請求項４】
前記構造化した表面が、艶消し構造化した表面、塗料保持構造化した表面、手引き裂き構造化した表面、又はこれらの組み合わせである、請求項１〜３のいずれか一項に記載のフィルム。
【請求項５】
前記ポリビニルアセテートポリマーが、７５，０００ｇ／モル〜７５０，０００ｇ／モルの範囲の分子量を有する、請求項１〜４のいずれか一項に記載のフィルム。
【請求項６】
前記ポリビニルアセテートポリマーが、２０℃で１０％エチルアセテート溶液中に溶解されるときに、１０〜５０ｍＰａ＊ｓの範囲の粘度を有する、請求項１〜５のいずれか一項に記載のフィルム。
【請求項７】
前記ポリビニルアセテートポリマーが、５０又は４５℃以下のガラス転移温度を有する、請求項１〜６のいずれか一項に記載のフィルム。
【請求項８】
前記ポリビニルアセテートポリマーが、ポリ乳酸ポリマー、ポリビニルアセテートポリマー及び可塑剤の総重量に基づいて、１０〜５０重量％の範囲の量で存在する、請求項１〜７のいずれか一項に記載のフィルム。
【請求項９】
前記可塑剤が、ポリ乳酸ポリマー、ポリビニルアセテートポリマー及び可塑剤の総量に基づいて、５〜３５重量％の範囲の量で存在する、請求項１〜８のいずれか一項に記載のフィルム。
【請求項１０】
核形成剤を、約０．０１重量％〜約１重量％の範囲の量で更に含む、請求項１〜９のいずれか一項に記載のフィルム。
【請求項１１】
前記フィルムが、
ｉ）前記フィルムは、８０℃で２４時間経時劣化させたときに可塑剤の移行を呈さない、
ｉｉ）前記フィルムは、３０℃未満のＴｇを有する、
ｉｉｉ）前記フィルムは、１回目の加熱走査で１０Ｊ／ｇより大きく、かつ４０Ｊ／ｇ未満の、正味の融解吸熱量ΔＨｎｍ１を有する、
ｉｖ）前記フィルムは、５０％〜６００％の引張伸びを有する、
ｖ）前記フィルムは、５０ＭＰａ〜７００ＭＰａの引張弾性率を有する、
ｖｉ）前記フィルムは、動的粘弾性測定により決定される引張貯蔵弾性率が、２℃／分の速度で加熱したとき、−４０℃〜１２５℃の温度範囲で少なくとも１０ＭＰａである、
ｖｉｉｉ）前記フィルムは、動的粘弾性測定により決定される引張貯蔵弾性率が、２℃／分の速度で加熱したとき、２５℃〜８０℃の温度範囲で少なくとも５ＭＰａである、
という、特性のうちのいずれか１つ又は組み合わせにより更に特徴付けられる、請求項１〜１０のいずれか一項に記載のフィルム。
【請求項１２】
請求項１〜１１のいずれか一項に記載のフィルムであって、
８０℃で２４時間経時劣化させたときに可塑剤の移行を呈さない、構造化した表面を備える、フィルム。
【請求項１３】
請求項１〜１２のいずれか一項に記載のフィルムと、前記フィルム上に配置された接着剤の層とを含む、物品。
【請求項１４】
テープ又はシートであり、前記接着剤が感圧性接着剤である、請求項１３に記載の物品。
【請求項１５】
フロアマーキングテープ又は塗料マスキングテープである、請求項１３又は１４に記載の物品。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
複数の層を、次の順序で備える表面保護フィルムであって、
前記表面保護フィルムの主面に露出した第１のポリマーフィルムと、
発泡接着剤と、
第２のポリマーフィルムと、
感圧性接着剤と、
を備える表面保護フィルム。
【請求項２】
前記第１及び第２のポリマーフィルムのそれぞれがポリウレタンエラストマーを含む、請求項１に記載の表面保護フィルム。
【請求項３】
前記ポリウレタンエラストマーが熱可塑性ポリウレタンエラストマーを含む、請求項２に記載の表面保護フィルム。
【請求項４】
前記発泡接着剤がシンタクチックフォームを含む、請求項１〜３のいずれか一項に記載の表面保護フィルム。
【請求項５】
前記シンタクチックフォームが、非三級アルキルアルコールのアクリル酸エステル又はメタクリル酸エステルの１又はそれ以上の反応生成物を含み、前記非三級アルキルアルコールが１〜２０個の炭素原子を有する、請求項４に記載の表面保護フィルム。
【請求項６】
前記発泡接着剤が、前記発泡接着剤中に均一に分布した熱可塑性発泡性ポリマー微小球を更に含んでおり、該熱可塑性発泡性ポリマー微小球は、未膨張発泡性ポリマー微小球、少なくとも部分的に膨張した発泡性ポリマー微小球、又はその両方を含む、請求項５に記載の表面保護フィルム。
【請求項７】
複数の層を通って延在するミシン目の配列を更に含み、前記ミシン目が、前記表面保護フィルムの両側面間に流体連通を提供する、請求項１〜６のいずれか一項に記載の表面保護フィルム。
【請求項８】
前記ミシン目が１００マイクロメートル〜３２００マイクロメートルの平均直径と１平方メートル当たり６０００〜１０００００の面密度とを有する、請求項７に記載の表面保護フィルム。
【請求項９】
接着されていた基材から前記表面保護フィルムを、前記感圧性接着剤を前記基材上に実質上残すことなく剥離することができる、請求項１〜８のいずれか一項に記載の表面保護フィルム。
【請求項１０】
車両用基材保護方法であって、
保護が必要な時に、請求項１〜９のいずれか一項に記載の表面保護フィルムを前記車両用基材の外側面に適用する工程と、
保護が不要な時に、前記表面保護フィルムを前記外側面から、前記外側面の接線面に対して３５度以上の角度で剥離する工程によって、前記車両用機材から前記表面保護フィルムを脱離する工程と、を備える方法。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
分析物監視システムであって、
分析物レベルを示す測定値を取るように構成されたセンサと、
前記センサに通信的に結合されたセンサ電子機器ユニットであって、
前記分析物レベルを示す測定値を受信し、
前記受信した測定値を処理し、また、
予め定義された時間に、第１の通信プロトコルを使用して分析物レベルを示すデータを伝送するように構成された、センサ電子機器ユニットと、
表示デバイスであって、
前記第１の通信プロトコルを使用して、前記センサ電子機器ユニットによって送信された分析物レベルを示すデータを受信し、また、
少なくとも前記予め定義された時間の前に、第２の通信プロトコルを使用して前記センサ電子機器ユニットから分析物レベルを示すデータを取り出すように構成される、表示デバイスと、を備える、分析物監視システム。
【請求項２】
前記センサ電子機器ユニットによる前記受信した測定値の前記処理が、前記測定値に少なくとも部分的に基づいて、推定した分析物レベルを算出することを含む、請求項１に記載の分析物監視システム。
【請求項３】
分析物監視システムであって、
分析物レベルを示す測定値を取るように構成されたセンサと、
前記センサに通信的に結合されたセンサ電子機器ユニットであって、
前記分析物レベルを示す測定値を受信し、
前記受信した測定値を処理し、また、
予め定義された時間に、第１の通信プロトコルを使用して分析物レベルを示すデータを伝送するように構成された、センサ電子機器ユニットと、
表示デバイスであって、
前記第１の通信プロトコルを使用して、前記センサ電子機器ユニットによって送信された分析物レベルを示すデータを受信し、
第２の通信プロトコルを介して、前記センサが測定値を取ることを停止させるコマンドメッセージを伝送し、また、
前記第２の通信プロトコルを介して、前記センサ電子機器ユニットに前記第１の通信プロトコルを使用した前記分析物レベルを示すデータの前記伝送を停止させるよう要求する要求メッセージをさらに伝送するように構成された、表示デバイスと、を備える、分析物監視システム。
【請求項４】
前記センサ電子機器ユニットによる前記受信した測定値の前記処理が、前記測定値に少なくとも部分的に基づいて、推定した分析物値を算出することを含む、請求項３に記載の分析物監視システム。
【請求項５】
前記コマンドメッセージが、前記センサに測定値を取ることを停止させる命令を前記センサ電子機器ユニットに提供する、請求項３または４に記載の分析物監視システム。
【請求項６】
前記表示デバイスが、前記第２の通信プロトコルを使用して前記センサによって前記測定値を取ることを開始し、前記第１の通信プロトコルを使用して分析物レベルを示すデータの前記伝送を開始するようにさらに構成される、請求項３〜５のいずれかに記載の分析物監視システム。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
基板と、
複数のＬＥＤであって、各ＬＥＤは、第１の側と第２の側を有し、各ＬＥＤは、そのＬＥＤの前記第１の側で導電パッドを介して前記基板に取り付けられ、各ＬＥＤは、
前記基板から離れる方向に光を反射するように前記ＬＥＤの前記第１の側に隣接して配置された第１の反射素子と、
前記ＬＥＤの前記第１の側と反対の前記ＬＥＤの前記第２の側に隣接して配置された第２の反射素子であって、主に前記基板に向かう方向に光を反射するように配置された前記第２の反射素子と、
を含む前記複数のＬＥＤと、
前記基板の表面に対して前記複数のＬＥＤと整列した光拡散特性を有する拡散部であって、前記複数のＬＥＤの少なくとも１つのＬＥＤの周囲で入れ子になるように整列された前記拡散部と、
を含む、ディスプレイ装置。
【請求項２】
前記ＬＥＤは、前記基板の上で互いに間隔を置いた第１のＬＥＤと第２のＬＥＤとを含む複数のＬＥＤであり、
前記第１のＬＥＤと前記第２のＬＥＤの間の前記基板の部分は反射面を含み、前記基板から離れる方向に光を反射する、
請求項１に記載のディスプレイ装置。
【請求項３】
前記複数のＬＥＤは、前記基板の上で互いに間隔を置いた第１のＬＥＤと第２のＬＥＤとを含む、
請求項１に記載のディスプレイ装置。
【請求項４】
前記拡散部の材料は、シリコン、ポリカーボネート（ＰＣ）、または、ポリエチレンテレフタレート（ＰＥＴ）の少なくとも１つを含む、
請求項１に記載のディスプレイ装置。
【請求項５】
前記拡散部は、成形用ポリマーフィルムから形成される、
請求項１に記載のディスプレイ装置。
【請求項６】
前記基板の上に配置され、前記複数のＬＥＤの各ＬＥＤの前記導電パッドに接続された導電トレースをさらに含む、
請求項１に記載のディスプレイ装置。
【請求項７】
前記基板は、プリント基板（ＰＣＢ）である、
請求項１に記載のディスプレイ装置。
【請求項８】
前記第１の反射素子または前記第２の反射素子の少なくとも１つは、前記複数のＬＥＤの少なくとも１つの幅の少なくとも一部に延在する、
請求項１に記載のディスプレイ装置。
【請求項９】
前記第１の反射素子または前記第２の反射素子の少なくとも１つは、前記複数のＬＥＤの少なくとも１つのＬＥＤの幅全体にわたって延在する、
請求項１に記載のディスプレイ装置。
【請求項１０】
前記第１の反射素子または前記第２の反射素子の少なくとも１つは、電流拡散層として形成される、
請求項１に記載のディスプレイ装置。
【請求項１１】
前記第１の反射素子または前記第２の反射素子の少なくとも１つの材料は、アルミニウム、銀、ＴｉＯ2、ＳｉＯ2、ＨｆＯ2、Ｔａ2Ｏ5、または、白色の拡散ポリマーベースの反射材料の１つである、
請求項１に記載のディスプレイ装置。
【請求項１２】
前記複数のＬＥＤの少なくとも１つは、５０ミクロン未満の厚さを有する、
請求項１に記載のディスプレイ装置。
【請求項１３】
前記基板、前記複数のＬＥＤの少なくとも１つ、及び、前記拡散部は合わせて、１７０ミクロン未満の厚さを有する、
請求項１に記載のディスプレイ装置。
【請求項１４】
前記拡散部の厚さ寸法は、それぞれ、前記複数のＬＥＤの高さ寸法とほぼ同じである、
請求項１に記載のディスプレイ装置。
【請求項１５】
前記拡散部は、第１の側及び第２の側を有し、前記拡散部の前記第１の側は、前記基板から離れる方向に光を反射する反射面を含む、
請求項１に記載のディスプレイ装置。
【請求項１６】
拡散基板と、
前記拡散基板内に入れ子になるように前記拡散基板と整列したＬＥＤアレイと
を含む装置であって、各ＬＥＤは、そのＬＥＤの第１の側に導電パッドを含み、各ＬＥＤは、
前記拡散基板の平面を横切る第１の方向に光を反射するように、前記ＬＥＤの前記第１の側に隣接して配置された第１の反射素子と、
前記ＬＥＤの前記第１の側の反対の前記ＬＥＤの第２の側に隣接して配置された第２の反射素子であって、前記拡散基板の平面を横切る第２の方向であって、前記第１の方向と反対の前記第２の方向に光を反射するように配置された前記第２の反射素子と、
を含み、
前記拡散基板の厚さ寸法は、前記ＬＥＤアレイの高さ以下である、
前記装置。
【請求項１７】
前記ＬＥＤに取り付けられた回路基板をさらに含む、請求項１６に記載の装置。
【請求項１８】
前記拡散基板は、テクスチャ特徴を含む、請求項１７に記載の装置。
【請求項１９】
前記拡散基板の表面は、前記ＬＥＤアレイの少なくとも１つのＬＥＤの周りに円周方向に延在するテクスチャ特徴を含む、請求項１６に記載の装置。
【請求項２０】
特定のテクスチャ特徴の最大寸法のサイズは、前記少なくとも１つのＬＥＤと前記特定のテクスチャ特徴との間の半径方向距離によって決まる、
請求項１９に記載の装置。
【請求項２１】
前記少なくとも１つのＬＥＤから第１の半径方向距離に配置された第１の特定のテクスチャ特徴の最大寸法は、前記少なくとも１つのＬＥＤから第２の半径方向距離に配置された第２の特定のテクスチャ特徴の最大寸法未満であり、前記第１の半径方向距離は、前記第２の半径方向距離より短い、
請求項１９に記載の装置。
【請求項２２】
前記拡散基板の表面は、前記ＬＥＤアレイの各ＬＥＤの周りに円周方向に延在するテクスチャ特徴を含み、
各テクスチャ特徴のサイズは、１つまたは複数のＬＥＤからの半径方向距離によって決まる、
請求項１６に記載の装置。
【請求項２３】
２つの隣接するＬＥＤの間の中間の距離に配置された特定のテクスチャ特徴の深さ及び／または幅は、前記２つの隣接するＬＥＤの中間の前記距離未満に配置されたテクスチャ特徴の対応する深さ及び／または幅より大きい、
請求項２２に記載の装置。
【請求項２４】
回路基板と、
前記回路基板にほぼ平行に配置されたディスプレイパネルと、
前記回路基板と前記ディスプレイパネルとの間に配置された拡散基板と、
前記拡散基板の平面にわたって入れ子にされた列と行のＬＥＤアレイであって、前記回路基板に取り付けられた前記ＬＥＤアレイと、
を含む装置であって、各ＬＥＤは、そのＬＥＤの第１の側に導電パッドを介して取り付けられ、各ＬＥＤは、
前記拡散基板の平面を横切る第１の方向に光を反射するように、前記ＬＥＤの前記第１の側に隣接して配置された第１の反射素子、
前記ＬＥＤの前記第１の側の反対の前記ＬＥＤの第２の側に隣接して配置された第２の反射素子であって、前記拡散基板の平面を横切る第２の方向であって、前記第１の方向と反対の前記第２の方向に光を反射するように配置された前記第２の反射素子、
のうちの少なくとも1つを含み、
前記拡散基板は、前記ＬＥＤアレイの１つまたは複数のＬＥＤの周りに円周方向に延在するテクスチャ特徴を含む、
前記装置。
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
連続気泡発泡体マトリックスと、前記連続気泡発泡体の連続気泡を充填して、前記連続気泡内で硬化される充填媒体とを備える、圧縮性ガスケットであって、
前記充填媒体が、硬化性接着剤と、前記硬化性接着剤中に分散されている１つ以上のタイプのマイクロメートル粒子とを含み、前記１つ以上のタイプのマイクロメートル粒子が、熱伝導性マイクロメートル粒子及び熱伝導性かつ導電性マイクロメートル粒子の少なくとも一方を含み、任意選択的に、難燃性マイクロメートル粒子、導電性マイクロメートル粒子、及び電磁波吸収マイクロメートル粒子のうちの少なくとも１種を含み、
金属層が、前記連続気泡発泡体マトリックス上に堆積されている、圧縮性ガスケット。
【請求項２】
前記連続気泡発泡体マトリックスの連続気泡容積の、２０％超、又は３０％超、又は５０％超、又は最大１００％が、前記充填媒体で充填されている、請求項１に記載の圧縮性ガスケット。
【請求項３】
前記連続気泡発泡体マトリックスが、高分子弾性材料又は熱可塑性エラストマーから発泡プロセスによって形成された連続気泡発泡体である、請求項１に記載の圧縮性ガスケット。
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
フローサイトメトリーシステムにおいて細胞を選別する方法であって、
高周波によって互いにシフトされた少なくとも２つの光周波数を有する光学的放射線ビームで細胞を照射して前記細胞から蛍光放射線を誘発することと、
前記蛍光放射線を検出して時間蛍光データを生成することと、
前記時間蛍光データを処理して前記細胞に関する選別決定に達することと
を有する方法。
【請求項２】
前記処理するステップは、
蛍光データを操作して前記細胞の特性の推定値を得ることと、前記推定値に基づいて前記選別決定を行うこととを含み、
前記選別決定は、前記蛍光データに基づいて蛍光画像を生成することなく行われる
請求項１に記載の方法。
【請求項３】
前記処理するステップは、前記時間蛍光データ内の高周波に関連する少なくとも１つのうなり周波数を分析して、前記細胞の特性の推定値を得ることを含む、請求項２に記載の方法。
【請求項４】
前記細胞の特性は、前記細胞の寸法サイズ、２つの異なる次元に沿った前記細胞のサイズの比、前記細胞に関連する２つ以上のマーカーによって放射される蛍光放射線の共局在化、前記細胞の細胞質及び核のサイズの比、前記細胞から放射された蛍光放射線の尖度、前記蛍光放射線の空間分布の尺度、前記細胞の位置または方向の尺度、前記細胞の離心率の尺度、基準細胞に対する前記細胞の類似性の尺度、前記細胞の１つ以上の空間フーリエ成分の組み合わせ、前記細胞が照射放射線の焦点内に存在する程度の尺度のうちのいずれかを含む、請求項１に記載の方法。
【請求項５】
前記処理するステップは、選別決定に到達することに関連する潜時が約１００マイクロ秒未満となるように、十分に高速である、請求項１に記載の方法。
【請求項６】
前記光学的放射線ビームは、前記細胞内の複数の空間位置の各々が照射される光周波数が、高周波シフトされた光周波数のうちの異なる周波数に相当するように構成される、請求項１に記載の方法。
【請求項７】
前記細胞が、少なくとも２つの蛍光マーカーで染色されており、前記光学的放射線ビームが、前記蛍光マーカーから蛍光放射線を誘発するように構成されている、請求項１に記載の方法。
【請求項８】
前記蛍光マーカーの１つにそれぞれが対応する時間蛍光波形を生成するために、前記蛍光マーカーから発せられた蛍光放射線を収集してデジタル化することをさらに有する、請求項７に記載の方法。
【請求項９】
前記処理するステップは、蛍光波形を操作して蛍光マーカーに相当する蛍光シグナルの共局在化の尺度を得ること、及び、共局在化の尺度に基づいて選別決定を行うことを含む、請求項８に記載の方法。
【請求項１０】
前記蛍光波形を操作するステップは、
ハイパスフィルタまたはバンドパスフィルタを前記蛍光波形の少なくとも１つに適用して、少なくとも１つのフィルタリングされた波形を生成すること、その後、前記蛍光波形を点ごとの乗算により結果の乗算波形を生成することと、フィルタリングされた波形を積分して積分値を得ることと、積分値を所定の閾値と比較して、前記共局在化の尺度を得ること、または、
ハイパスフィルタまたはバンドパスフィルタを前記蛍光波形の少なくとも１つに適用して、少なくとも１つのフィルタリングされた波形を生成すること、その後、前記蛍光波形の点ごとの乗算により結果の乗算波形を生成することと、前記乗算波形を積分して積分値を得ることと、前記積分値からバックグラウンド値を減算し、結果値を強度でスケーリングして最終値を生成することと、前記最終値を所定の閾値と比較して前記共局在化の尺度を得ること
を含む、請求項９に記載の方法。
【請求項１１】
前記処理するステップは、前記時間蛍光データを操作して、
前記細胞のサイズの推定値を得て、推定された細胞のサイズに基づいて選別決定を行うこと、または、
２つの異なる次元に沿った細胞サイズの比を得ること、及び、この比を利用して選別決定を行うこと
を含む、請求項１に記載の方法。
【請求項１２】
前記時間蛍光データのフーリエ変換を得ることと、高周波と異なるフーリエ変換の周波数を決定することと、異なる周波数でのフーリエ変換値の合計を得ることと、この合計を所定の閾値と比較して選別決定を行うこととをさらに有する、請求項１に記載の方法。
【請求項１３】
粒子を選別するためのシステムであって、
高周波変調された光学的放射線で粒子を照射するための照射システムと、
照射に応答して前記粒子から発せられる蛍光放射線を検出して時間蛍光データを生成するための検出システムと、
前記時間蛍光データを受信し、このデータを処理して前記粒子に関する選別決定に到達するために前記検出システムと通信する分析モジュールと、
前記粒子をその流路から分別して選別決定に基づいて容器を分離し得るアクチュエータと
を備えるシステム。
【請求項１４】
前記分析モジュールは、前記時間蛍光データに基づいて前記粒子の画像を形成することなく、選別決定に到達する、請求項１３に記載のシステム。
【請求項１５】
前記分析モジュールは、選別決定に到達することに関連する潜時が約１００マイクロ秒未満となるように、十分に高速に前記データを処理するように構成されている、請求項１３に記載のシステム。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
ＵＶ放射要素を備える抗生物付着システムであって、前記ＵＶ放射要素は、ＵＶ線出口窓を含み、前記ＵＶ放射要素は、ＵＶ線を供給する光源を少なくとも部分的に包囲し、前記ＵＶ線出口窓は、前記光源の前記ＵＶ線の少なくとも一部を透過し、前記ＵＶ線出口窓は、上流窓側及び下流窓側を有し、前記ＵＶ放射要素はさらに、前記光源から発生し、前記下流窓側から出射される放射線を検出して、対応する光センサ信号を供給する光センサを少なくとも部分的に包囲し、前記抗生物付着システムは、前記光センサ信号に応じて前記ＵＶ線を供給する、抗生物付着システム。
【請求項２】
前記抗生物付着システムは、前記光センサ信号に応じて前記ＵＶ線の強度を制御する、請求項１に記載の抗生物付着システム。
【請求項３】
前記光源は、前記ＵＶ線の可変のスペクトル分布を有し、前記抗生物付着システムは、前記光センサ信号に応じて前記ＵＶ線の前記スペクトル分布を制御する、請求項１又は２に記載の抗生物付着システム。
【請求項４】
前記光センサは、前記ＵＶ線出口窓によって反射されたＵＶ線を検出し、前記抗生物付着システムは、前記光センサがＵＶ線の減少を検出したとき、前記ＵＶ線の強度を増加させる、請求項１から３のいずれか一項に記載の抗生物付着システム。
【請求項５】
前記光源は、前記ＵＶ線のうちの少なくとも一部を、前記ＵＶ線出口窓に対して内部全反射臨界角以内で供給し、前記光センサは、散乱されたＵＶ線を検出し、前記抗生物付着システムは、前記光センサがＵＶ線の増加を検出したとき、前記ＵＶ線の強度を増加させる、請求項１から３のいずれか一項に記載の抗生物付着システム。
【請求項６】
前記光源は、ＵＶ線と、可視光及び赤外線のうちの１つ又は複数とを供給する、請求項１から５のいずれか一項に記載の抗生物付着システム。
【請求項７】
前記光センサは、前記ＵＶ線を検出する、請求項１から６のいずれか一項に記載の抗生物付着システム。
【請求項８】
前記光センサは、可視光及び赤外線のうちの１つ又は複数を検出する、請求項１から７のいずれか一項に記載の抗生物付着システム。
【請求項９】
前記抗生物付着システムはさらに、受け取られた放射線のスペクトル分布に応じて、前記ＵＶ線のスペクトル分布及び強度のうちの１つ又は複数を制御する、請求項１から８のいずれか一項に記載の抗生物付着システム。
【請求項１０】
（ｉ）前記光源のＵＶ線強度に対する依存性についてセンサ信号を補正し、かつ／又は、（ｉｉ）前記光源のＵＶ線強度の変動を最小にする制御要素をさらに備える、請求項１から９のいずれか一項に記載の抗生物付着システム。
【請求項１１】
前記ＵＶ放射要素によって包囲された制御システムをさらに備える、請求項１から１０のいずれか一項に記載の抗生物付着システム。
【請求項１２】
前記抗生物付着システムは複数の光源を備え、前記複数の光源はＬＥＤを含む、請求項１から１１のいずれか一項に記載の抗生物付着システム。
【請求項１３】
前記ＬＥＤは、前記ＵＶ線を生成し、前記ＬＥＤは、ＬＥＤダイを含み、隣接するＬＥＤの前記ＬＥＤダイは、０．５〜２００ｍｍの範囲から選択される相互光源距離を有し、前記抗生物付着システムはさらに、複数の光センサを備え、隣接する光センサは、少なくとも４ｃｍの範囲から選択される相互光センサ距離を有し、前記抗生物付着システムは、光源及び光センサのサブセットを複数含み、各サブセットは、１つ又は複数の光源及び１つ又は複数の光センサを含み、各サブセットは、該サブセット内の前記１つ又は複数の光センサの光センサ信号に応じて、該サブセット内の前記１つ又は複数の光源の前記ＵＶ線を供給する、請求項１２に記載の抗生物付着システム。
【請求項１４】
使用中に少なくとも部分的に水中に浸される物体であって、前記物体は、請求項１から１３のいずれか一項に記載の抗生物付着システムを備え、前記ＵＶ放射要素は、照射ステージ中、（ｉ）前記物体の外面の一部分、及び（ｉｉ）前記外面の前記一部分に隣接する水のうちの１つ又は複数をＵＶ線で照射し、前記物体は、船舶及びインフラ物体からなる群から選択される、物体。
【請求項１５】
使用中、少なくとも一時的に水にさらされる、請求項１から１３のいずれか一項に記載の抗生物付着システムを物体に提供する方法であって、前記方法は、前記物体の外面の一部分、及び前記一部分に隣接する水のうちの１つ又は複数に前記ＵＶ線を提供する前記ＵＶ放射要素を有する前記物体に前記抗生物付着システムを提供するステップを含む、方法。
【手続補正書】
【提出日】令和2年2月18日(2020.2.18)
【手続補正１】
【補正対象書類名】明細書
【補正対象項目名】００３８
【補正方法】変更
【補正の内容】
【００３８】
ステップＳ１において、特徴フィルタリング閾値及び特徴相関値が計算されている。このステップにおいては、特徴は、特徴フィルタリング閾値ｒkと特徴相関値ｓkiの大きさを比較することによってフィルタリングされる。具体的には、
ｓkiがｒk未満である場合、ｉ番目の次元特徴は、フィルタリング除去され、その後の計算に関与しない。そうでない場合、ｉ番目の次元特徴は、維持され、その後の計算への関与を継続する。
【手続補正２】
【補正対象書類名】明細書
【補正対象項目名】００４０
【補正方法】変更
【補正の内容】
【００４０】
サンプルデータの各次元特徴の特徴フィルタリング閾値ｒkと特徴相関値ｓkiとが、勾配ｇkiに関係付けられ、勾配ｇkiが、サンプルデータ、損失関数、及びモデルパラメータに基づいて計算され、各反復巡回におけるサンプルデータ及びモデルパラメータが、異なっていることに留意すべきである。そのため、各反復巡回で計算されるサンプルデータの各次元特徴の特徴フィルタリング閾値と特徴相関値ｓkiとは異なっている。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
混合ビュー表示方法であって：
ウェブページビューロード指令が受信されると、ウェブページビューをロードするステップ（１０１、２０３）であって、前記ウェブページビューは、クライアントビューを追加するために用いられるプレースホルダ要素を含む、ステップと；
前記ウェブページビューをロードした結果から前記プレースホルダ要素の位置情報を取得するステップ（１０２）と；
前記クライアントビューを前記位置情報に追加するステップ（１０３）と；
前記追加されたクライアントビューを含む前記ウェブページビューを表示するステップ（１０４、２０７ａ）と；を備える、
混合ビュー表示方法。
【請求項２】
前記ウェブページビューをロードするステップの前に、
前記プレースホルダ要素を前記ウェブページビューに追加するステップ（２０１）であって、対応する識別情報が各プレースホルダ要素について設定される、ステップと；
各プレースホルダ要素に対応するクライアントビューを設定するステップ（２０２）と；を更に備える、
請求項１に記載の混合ビュー表示方法。
【請求項３】
前記プレースホルダ要素がブロックレベル要素として表され、
前記クライアントビューを前記位置情報に追加するステップの後に、
前記プレースホルダ要素のステータス情報を前記クライアントビューに対応するステータス情報として構成するステップを更に備える、
請求項２に記載の混合ビュー表示方法。
【請求項４】
前記プレースホルダ要素のステータス情報を前記クライアントビューに対応するステータス情報として構成する前記ステップは：
前記プレースホルダ要素の幅／高さ情報を前記クライアントビューに対応する幅／高さ情報に設定するステップを備える、
請求項３に記載の混合ビュー表示方法。
【請求項５】
前記クライアントビューを前記位置情報に追加するステップは：
前記ウェブページビューをロードした前記結果から各プレースホルダ要素に対応する位置情報を取得するステップ（２０５ａ）と；
前記位置情報に前記プレースホルダ要素に対応するクライアントビューを追加するステップ（２０６ａ）と；を備える、
請求項２に記載の混合ビュー表示方法。
【請求項６】
前記ウェブページビューをロードした前記結果から前記プレースホルダ要素の前記位置情報が取得されない場合、前記ウェブページビューのロードに関するエラープロンプト情報を出力するステップ（２０５ｂ）を更に備える、
請求項１に記載の混合ビュー表示方法。
【請求項７】
混合ビュー表示デバイスであって：
ウェブページビューロード指令が受信されると、ウェブページビューをロードするように構成されたロードユニット（３１）であって、前記ウェブページビューは、クライアントビューを追加するために用いられるプレースホルダ要素を備える、前記ロードユニットと；
前記ウェブページビューをロードした結果から前記プレースホルダ要素の位置情報を取得するように構成された取得ユニット（３２）と；
前記クライアントビューを前記位置情報に追加するように構成された追加ユニット（３３）と；
前記追加されたクライアントビューを含む前記ウェブページビューを表示するように構成された表示ユニット（３４）と；を備える、
混合ビュー表示デバイス。
【請求項８】
前記デバイスが設定ユニットを更に備え、
前記追加ユニットは、前記プレースホルダ要素を前記ウェブページビューに追加し、対応する識別情報が各プレースホルダ要素について設定され、
前記設定ユニットは、各プレースホルダ要素に対応するクライアントビューを設定する、
請求項７に記載の混合ビュー表示デバイス。
【請求項９】
前記プレースホルダ要素がブロックレベル要素として表され、
前記プレースホルダ要素のステータス情報を前記クライアントビューに対応するステータス情報として構成するように構成された構成ユニットを更に備える、
請求項８に記載の混合ビュー表示デバイス。
【請求項１０】
前記構成ユニットが、前記プレースホルダ要素の幅／高さ情報を前記クライアントビューに対応する幅／高さ情報に設定する、
請求項９に記載の混合ビュー表示デバイス。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
Ｘ線を発生するための装置であって、
第１のカソード及び第２のカソードと、
アノードと、
前記第１のカソードと前記アノードとの間の第１の電圧、及び
前記第２のカソードと前記アノードとの間の第２の電圧
を生成する電源であって、前記第１の電圧に応じて第１のＸ線が発生され、前記第２の電圧に応じて第２のＸ線が発生され、前記電源は、前記第１のカソード及び／又は前記第２のカソードにおいて前記第１の電圧と前記第２の電圧とを切り替える、電源と、
前記第１のＸ線と前記第２のＸ線との比を制御するためのプロセッサと、
を含む、装置。
【請求項２】
前記電源は、第１の電流を前記第１のカソードに、及び第２の電流を前記第２のカソードに供給し、前記プロセッサは、前記第１のＸ線と前記第２のＸ線との前記比が制御されるように、前記第１の電流及び前記第２の電流を制御する、請求項１に記載の装置。
【請求項３】
前記装置は更に、前記第１のＸ線及び前記第２のＸ線のエネルギーを決定し、前記第１のＸ線と前記第２のＸ線との前記比は、前記第１のＸ線の前記エネルギーと前記第２のＸ線の前記エネルギーとの別の比を含む、請求項１に記載の装置。
【請求項４】
前記第１のＸ線の前記エネルギーは、集積Ｘ線エネルギーを含み、前記第２のＸ線の前記エネルギーは、集積Ｘ線エネルギーを含む、請求項３に記載の装置。
【請求項５】
前記電源は、デューティサイクルを用いて前記第１の電圧と前記第２の電圧との間で切り替え、前記プロセッサは、前記デューティサイクルを制御して、前記第１のＸ線と前記第２のＸ線との前記比を制御する、請求項１に記載の装置。
【請求項６】
前記第１のカソード及び前記第２のカソードは、少なくとも１つのグリッドスイッチカソードヘッドを含む、請求項１に記載の装置。
【請求項７】
前記少なくとも１つのグリッドスイッチカソードヘッドは、前記デューティサイクルと同期化される、請求項６に記載の装置。
【請求項８】
前記電源は、前記アノードが、前記第１のＸ線及び前記第２のＸ線を実質的に同時に発生するように動作可能であるように構成される、請求項１に記載の装置。
【請求項９】
前記アノードは回転体を含み、前記電源は、前記アノードの回転周波数と同期化されるように構成される、請求項１に記載の装置。
【請求項１０】
第１のカソード及び第２のカソードと、
アノードと、
前記第１のカソードと前記アノードとの間の第１の電圧、及び
前記第２のカソードと前記アノードとの間の第２の電圧
を生成する電源であって、前記第１の電圧に応じて第１のＸ線が発生され、前記第２の電圧に応じて第２のＸ線が発生され、前記電源は、前記第１のカソード及び／又は前記第２のカソードにおいて前記第１の電圧と前記第２の電圧とを切り替える、電源と、
前記第１のＸ線と前記第２のＸ線との比を制御するためのプロセッサと、
を含む、Ｘ線を発生するための装置と、
物体の画像データを取得するＸ線検出器と、
前記物体の前記画像データを表すデータを出力する出力ユニットと、
を含む、物体を撮像するためのシステム。
【請求項１１】
Ｘ線を発生するための方法であって、
第１のカソード及び第２のカソードを提供するステップと、
アノードを提供するステップと、
電源を用いて、前記第１のカソードと前記アノードとの間の第１の電圧を生成し、前記電源を用いて、前記第２のカソードと前記アノードとの間の第２の電圧を生成するステップであって、前記第１の電圧に応じて第１のＸ線が発生され、前記第２の電圧に応じて第２のＸ線が発生される、ステップと、
前記第１のカソード及び／又は前記第２のカソードにおいて前記第１の電圧と前記第２の電圧とを切り替えるステップと、
前記第１のＸ線と前記第２のＸ線との比を制御するために前記電源を制御するステップと、
を含む、方法。
【請求項１２】
１つ以上の実行可能な命令を記憶している非一時的コンピュータ可読媒体であって、プロセッサによって実行されたときに、前記プロセッサに、Ｘ線を発生するための方法であって、
第１のカソード及び第２のカソードを提供するステップと、
アノードを提供するステップと、
電源を用いて、前記第１のカソードと前記アノードとの間の第１の電圧を生成し、前記電源を用いて、前記第２のカソードと前記アノードとの間の第２の電圧を生成するステップであって、前記第１の電圧に応じて第１のＸ線が発生され、前記第２の電圧に応じて第２のＸ線が発生される、ステップと、
前記第１のカソード及び／又は前記第２のカソードにおいて前記第１の電圧と前記第２の電圧とを切り替えるステップと、
前記第１のＸ線と前記第２のＸ線との比を制御するために前記電源を制御するステップと、
を含む、方法を実行させる、非一時的コンピュータ可読媒体。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
少なくとも１つのカメラで撮影された画像内の少なくとも１つの棚上の棚ラベルを検出して読み取るステップと、
少なくとも１つのカメラで撮影された画像内の潜在的在庫の周りに１つまたは複数の在庫のバウンディングボックスを画定するステップと、
製品分類器または製品ライブラリの少なくとも１つを構築するために、前記在庫のバウンディングボックスを前記棚ラベルに関連付けるステップと、
を含む、在庫監視方法。
【請求項２】
自律型ロボットが、棚ラベルを自律的に読み取って、複数のバウンディングボックスを画定することを可能にする可動ベースとして機能しつつ、前記自律型ロボットが前記少なくとも１つの棚の横に移動することを可能にするステップ、をさらに含む、請求項１に記載の在庫監視方法。
【請求項３】
自律型ロボットが、複数のカメラおよびライダー距離検知システムを有する可動ベースとして機能しつつ、前記自律型ロボットが前記少なくとも１つの棚の横に移動することを可能にするステップ、をさらに含む、請求項１に記載の在庫監視方法。
【請求項４】
自律型ロボットが、棚の深度マップと、棚上に置かれた製品とをキャプチャする可動ベースとして機能しつつ、前記自律型ロボットが前記少なくとも１つの棚の横に移動することを可能にするステップ、をさらに含む、請求項１に記載の在庫監視方法。
【請求項５】
１つの製品識別子、１つまたは複数の記述子のセット、記述子の各セットに対する信頼度、記述子の各セットが生成された日付、１つまたは複数の棚位置のメートル法の推定値、各棚位置のメートル法の推定値に対する信頼度、１つまたは複数の棚位置のトポロジカルな推定値、各棚位置のトポロジカルな推定値に対するカウント数、製品の１つまたは複数の画像テンプレート、および前記製品の寸法、
のうちの少なくとも１つ以上を含む製品範囲を有する製品ライブラリを構築するステップ、をさらに含む、請求項１に記載の在庫監視方法。
【請求項６】
少なくとも１つのカメラで撮影された前記画像内の前記複数のバウンディングボックス内に指定される潜在的在庫を識別するために、手動入力を使用するステップ、をさらに含む、請求項１に記載の在庫監視方法。
【請求項７】
潜在的な在庫と、潜在的な在庫間の隙間との双方の周りのバウンディングボックスが自動的に画定される、請求項１に記載の在庫監視方法。
【請求項８】
バウンディングボックスは、棚ラベルまたは製品上のマーカの少なくとも１つに手動で関連付けられる、請求項１に記載の在庫監視方法。
【請求項９】
バウンディングボックスは、棚ラベルまたは製品上のマーカの少なくとも１つに自動的に関連付けられる、請求項１に記載の在庫監視方法。
【請求項１０】
初期プラノグラムを使用せずに前記製品ライブラリを構築するステップを、さらに含む、請求項１に記載の在庫監視方法。
【請求項１１】
少なくとも１つのカメラから少なくとも１つの棚までの距離を検出するステップと、
少なくとも１つのカメラで撮影された画像内の棚ラベルを検出して読み取るステップと、
少なくとも１つのカメラで撮影された画像内の潜在的在庫の周りにバウンディングボックスを画定するステップと、
製品分類器または製品ライブラリの少なくとも１つを構築するために、選択された在庫のバウンディングボックスを選択された棚ラベルに関連付けるステップと、
を含む、在庫監視方法。
【請求項１２】
１つの製品識別子、１つまたは複数の記述子のセット、記述子の各セットに対する信頼度、記述子の各セットが生成された日付、１つまたは複数の棚位置のメートル法の推定値、各棚位置のメートル法の推定値に対する信頼度、１つまたは複数の棚位置のトポロジカルな推定値、各棚位置のトポロジカルな推定値に対するカウント数、製品の１つまたは複数の画像テンプレート、および前記製品の寸法、
のうちの少なくとも１つ以上を含む製品範囲を有する製品ライブラリを構築するステップ、をさらに含む、請求項１１に記載の在庫監視方法。
【請求項１３】
少なくとも１つのカメラで撮影された前記画像内の複数のバウンディングボックス内に指定される潜在的在庫を識別するために、手動入力を使用して製品ライブラリを構築するステップ、をさらに含む、請求項１１に記載の在庫監視方法。
【請求項１４】
前記バウンディングボックスは、潜在的な在庫間の隙間の周りを取り囲むことが可能である、請求項１１に記載の在庫監視方法。
【請求項１５】
初期プラノグラムを使用せずに前記製品ライブラリを構築するステップを、さらに含む、請求項１１に記載の在庫監視方法。